(57)【要約】【課題】高圧放電灯に交流ランプ電流を供給して高圧放電灯を点灯させる高圧放電灯点灯装置において、高圧放電灯の点灯中に発生するフリッカ（放電アークの揺らぎ）を抑制すると共に、従来の矩形波点灯時と同等の放電灯の光を有効利用できるようにする。【解決手段】入力電源を電力変換して高圧放電灯Ｌａに低周波の交流ランプ電流ＩＬａを供給する電子バラストからなる高圧放電灯点灯装置において、低周波の交流ランプ電流波形の各半周期毎の極性反転直前に高周波動作を１周期挿入し、低周波動作時のランプ電流波形のピーク値よりもその各半周期毎の極性反転直前に挿入した高周波動作時のランプ電流波形のピーク値を極性反転直前のランプ電流と同極性側は高く、異極性側は低くする。【選択図】図１
2008123910.tif 000002
【特許請求の範囲】
【請求項１】
入力電源を電力変換して高圧放電灯に低周波の交流ランプ電流を供給する電子バラストからなる高圧放電灯点灯装置において、低周波の交流ランプ電流波形の各半周期毎の極性反転直前に高周波動作を１周期挿入し、低周波動作時のランプ電流波形のピーク値よりもその各半周期毎の極性反転直前に挿入した高周波動作時のランプ電流波形のピーク値を極性反転直前のランプ電流と同極性側は高く、異極性側は低くすることを特徴とする放電灯点灯装置。
【請求項２】
入力電源を電力変換して高圧放電灯に低周波の交流ランプ電流を供給する電子バラストからなる高圧放電灯点灯装置において、低周波の交流ランプ電流波形の各半周期毎の極性反転直前に高周波動作を２周期以上挿入し、低周波動作時のランプ電流波形のピーク値よりもその各半周期毎の極性反転直前に挿入した高周波動作時のランプ電流波形のピーク値を極性反転直前のランプ電流と同極性側は高く、異極性側の少なくとも１波形以上は低くすることを特徴とする放電灯点灯装置。
【請求項３】
入力電源を電力変換して高圧放電灯に低周波の交流ランプ電流を供給する電子バラストからなる高圧放電灯点灯装置において、低周波の交流ランプ電流波形の各半周期毎の極性反転直前に高周波動作を２周期以上挿入し、高周波動作時のランプ電流波形のピーク値を高周波動作の最後の周期のみ極性反転直前の同極性側だけ高くし、異極性側の少なくとも１波形以上は低くすることを特徴とする放電灯点灯装置。
【請求項４】
請求項１〜３のいずれかにおいて、高周波動作時の前記同極性側の時間を異極性側の時間より長くすることを特徴とする放電灯点灯装置。
【請求項５】
請求項１〜４のいずれかに記載の放電灯点灯装置と、この放電灯点灯装置により点灯される高圧放電灯とを備えるプロジェクタ。
【請求項６】
請求項１〜４のいずれかに記載の放電灯点灯装置と、この放電灯点灯装置により点灯される高圧放電灯と、高圧放電灯を光源として画像を投影されるスクリーンとを備えるプロジェクションテレビ。
【発明の詳細な説明】
【技術分野】
【０００１】
本発明は、高圧放電灯に交流ランプ電流を供給して高圧放電灯を点灯させる高圧放電灯点灯装置において、高圧放電灯の点灯中に発生するフリッカ（放電アークの揺らぎ）を抑制すると共に、従来の矩形波点灯時と同等の放電灯の光を有効利用することが出来る放電灯点灯装置及びこれを用いたプロジェクタとプロジェクションテレビに関するものである。
【背景技術】
【０００２】
近年、プロジェクタ市場は業務用だけでなく家庭用へも急速に拡大しており、今後も更なる市場拡大が期待されている。しかしテレビ市場においては液晶テレビやプラズマテレビに代表されるように大画面化へと移行しつつある。これまでは大画面の液晶テレビやプラズマテレビは高価であったため、プロジェクタの画質向上などの技術の進化と共に、この技術を生かした安価なリアプロジェクションテレビが北米を中心に需要が高まってきていた。しかしここ数年で液晶テレビやプラズマテレビの低価格化が進み、安価なリアプロジェクションテレビとの差異が縮まる傾向にある。そのため、プロジェクションテレビの市場を維持、拡大していくためには更なる画質の向上と低価格化が重要な要素になってくる。
【０００３】
そこで、プロジェクタの性能を向上させる要因の一つとして、使用する高圧放電灯を更に明るくすることが挙げられる。これにより高圧放電灯が大きくなり、おのずとプロジェクタセット自体が大きくなってしまい、セット全体としての低価格化が進まない。たとえ高圧放電灯を小型化したとしても、高圧放電灯に非常に大きなストレスを与えてしまい、破損等の好ましくないモードになりやすくなる。
【０００４】
また、プロジェクタの性能を向上させる要因の他の一つとして、ランプ点灯中に発生するフリッカ（放電アークの揺らぎ）の抑止が挙げられる。特許第３７４１７２７号や特開２００１−２４４０８８号、特許第３７３８７１２号の技術は、このフリッカを抑制する効果があると記載されている。図９（ａ）は従来の低周波矩形波で高圧放電灯を点灯させた時のランプ電流波形を、図９（ｂ），（ｃ）は前述の特許文献に記載されたランプ電流波形を示す。
【特許文献１】特許第３７４１７２７号公報
【特許文献２】特開２００１−２４４０８８号公報
【特許文献３】特許第３７３８７１２号公報
【発明の開示】
【発明が解決しようとする課題】
【０００５】
例えば、回転カラーフィルタと微細可動ミラー集積素子を用いたプロジェクタまたはプロジェクションテレビの光源に高圧放電灯点灯装置を用いる場合、カラーフィルタの切り替え時に光をマスクしている期間があるために、同一ランプに同一電力を投入して点灯させた場合、図９（ｂ），（ｃ）のパルス電流重畳期間ｔ２の光を効率良く利用することができないことがある。また、パルス電流を重畳させていない部分ｔ１の電流値が図９（ａ）に示す従来の矩形波のランプ電流よりもΔＩｌａ1 やΔＩｌａ2 分だけ低いため、ランプに対しては１周期の平均電力としては供給しているものの、光としてはそれ以下しか利用することができない。
【０００６】
本発明はこのような点に鑑みてなされたものであり、高圧放電灯に交流ランプ電流を供給して高圧放電灯を点灯させる高圧放電灯点灯装置において、高圧放電灯の点灯中に発生するフリッカ（放電アークの揺らぎ）を抑制すると共に、従来の矩形波点灯時と同等の放電灯の光を有効利用することが出来る放電灯点灯装置を提供することが課題である。
【課題を解決するための手段】
【０００７】
本発明にあっては、上記の課題を解決するために、図１に示すように、入力電源を電力変換して高圧放電灯Ｌａに低周波の交流ランプ電流ＩＬａを供給する電子バラストからなる高圧放電灯点灯装置において、図２，図３に示すように、低周波の交流ランプ電流波形の各半周期毎の極性反転直前に高周波動作を１周期挿入し、低周波動作時のランプ電流波形のピーク値よりもその各半周期毎の極性反転直前に挿入した高周波動作時のランプ電流波形のピーク値を極性反転直前のランプ電流と同極性側は高く、異極性側は低くすることを特徴とするものである。
【０００８】
また、図４〜図７に示すように、高周波動作を２周期以上挿入しても良い（請求項２）。さらに、図６，図７に示すように、高周波動作の最後の周期のみ極性反転直前の同極性側だけランプ電流波形のピーク値を高くしても良い（請求項３）。また、図３，図５，図７に示すように、高周波動作時の前記同極性側の時間を異極性側の時間より長くしても良い（請求項４）。
【発明の効果】
【０００９】
本発明によれば、高圧放電灯の点灯中に発生するフリッカ（放電アークの揺らぎ）を抑制させるのに必要となるランプ電流の増加分を高周波動作内で補填・相殺させることにより、従来の矩形波点灯時と同等の放電灯の光を有効利用することでプロジェクタの性能向上が可能となり、また、高圧放電灯の超過出力分を高周波動作内で補うことでコストダウンの効果もある。
【発明を実施するための最良の形態】
【００１０】
（実施形態１）
図１は本発明の実施形態１の回路図を示す。以下、図１の構成について説明する。
【００１１】
まず、チョッパ回路１の回路構成について説明する。直流電源Ｅの正極はスイッチング素子Ｑ１、インダクタＬ１を介してコンデンサＣ２の正極に接続されており、コンデンサＣ２の負極は電流検出用の抵抗Ｒ１を介して直流電源Ｅの負極に接続されている。コンデンサＣ２の負極には回生電流通電用のダイオードＤ１のアノードが接続されており、ダイオードＤ１のカソードはスイッチング素子Ｑ１とインダクタＬ１の接続点に接続されている。
【００１２】
スイッチング素子Ｑ１はＰＷＭ制御回路３４の出力により高周波でＯＮ・ＯＦＦ駆動され、スイッチング素子Ｑ１がＯＮのとき、直流電源Ｅからスイッチング素子Ｑ１、インダクタＬ１、コンデンサＣ２、抵抗Ｒ１を介して電流が流れ、スイッチング素子Ｑ１がＯＦＦのとき、インダクタＬ１、コンデンサＣ２、ダイオードＤ１を介して回生電流が流れる。これにより、直流電源Ｅの直流電圧を降圧した直流電圧がコンデンサＣ２に充電される。スイッチング素子Ｑ１がＯＮのとき、インダクタＬ１に流れるチョッパ電流は抵抗Ｒ１により検出され、電流検出電圧としてＰＷＭ制御回路３４に入力されており、（基準電圧で決まる）所定の電流値に達すると、スイッチング素子Ｑ１がＯＦＦするように制御される。ＰＷＭ制御回路３４によりスイッチング素子Ｑ１のＯＮデューティ（一周期に占めるＯＮ時間の割合）を変えることにより、コンデンサＣ２に得られる電圧を可変制御できる。以上により降圧チョッパ回路を構成している。
【００１３】
なお、直流電源Ｅは例えば商用交流電源を整流・平滑した直流電圧であり、例えば、全波整流回路の出力に接続された昇圧チョッパ回路（図示せず）の出力電圧であっても良い。
【００１４】
コンデンサＣ２の両端には、スイッチング素子Ｑ２，Ｑ３の直列回路と、スイッチング素子Ｑ４，Ｑ５の直列回路が並列に接続されている。スイッチング素子Ｑ２，Ｑ３はドライブ回路Ａにより高周波または低周波で交互にＯＮ・ＯＦＦ駆動され、スイッチング素子Ｑ４，Ｑ５はドライブ回路Ｂにより高周波または低周波で交互にＯＮ・ＯＦＦ駆動される。ドライブ回路Ａ，Ｂは例えばＩＲ社製造のＩＲ２１１１などが用いられ、制御回路３のコントロール部３３によりスイッチング素子Ｑ２，Ｑ５がＯＮ、スイッチング素子Ｑ３，Ｑ４がＯＦＦの状態と、スイッチング素子Ｑ２，Ｑ５がＯＦＦ、スイッチング素子Ｑ３，Ｑ４がＯＮの状態とが高周波（数十ｋＨｚ〜百数十ｋＨｚ）または低周波（数Ｈｚ〜数百Ｈｚ）で交番するように制御される。以上によりフルブリッジ型のインバータ回路（極性反転回路）２を構成している。
【００１５】
次に、負荷回路について説明する。スイッチング素子Ｑ２，Ｑ３の接続点にはインダクタＬ２の一端が接続されており、インダクタＬ２の他端には放電ランプＬａの一端が接続されている。放電ランプＬａの他端はスイッチング素子Ｑ４，Ｑ５の接続点に接続されている。放電ランプＬａの両端にはコンデンサＣ３が並列接続されている。インダクタＬ２とコンデンサＣ３は共振回路を構成している。高周波動作期間（始動時）には、共振回路の共振作用により高周波の高電圧が得られて放電ランプＬａを絶縁破壊すると共に、グロー放電からアーク放電へ移行させるためのエネルギーを供給する（なお、放電ランプＬａの絶縁破壊のために別設のイグナイタ回路（図示せず）により高電圧パルスを印加するように構成しても良い）。低周波動作期間（定常点灯時）には、コンデンサＣ２の電圧が低周波で極性反転しながら放電ランプＬａに印加される。
【００１６】
コンデンサＣ２の電圧は抵抗Ｒ２，Ｒ３からなる電圧検出部５により分圧されて、ランプ電圧Ｖｌａの検出値としてマイコン３０のＡ／Ｄ変換ポート３１に取り込まれる。これによりランプ電圧検出回路を構成している。
【００１７】
次に、制御回路３について説明する。制御回路３はチョッパ回路１のスイッチング素子Ｑ１を制御するためのＰＷＭ制御回路３４と、ＰＷＭ制御回路３４の基準電圧やフルブリッジ型のインバータ回路２のスイッチング素子Ｑ２〜Ｑ５の極性反転周期を制御するためのマイコン３０を備えている。マイコン３０としては、例えば三菱製のＭ３７５４０などを用いる。
【００１８】
抵抗Ｒ４とコンデンサＣ１よりなるＣＲフィルタ回路が接続されたマイコン３０の２値出力ポートには、デューティ可変の矩形波電圧（ＰＷＭ信号）が出力されている。このデューティ可変の矩形波電圧をＣＲフィルタ回路により直流電圧に平滑化することにより、ＰＷＭ制御回路３４に基準電圧の指令値を与えている。これによりマイコン３０は降圧チョッパ回路１の出力電圧（コンデンサＣ２の電圧）を任意に制御することができる。
【００１９】
マイコン３０にはあらかじめ所定の電力制御特性となるように、ランプ電圧Ｖｌａの検出値に対応した第１の電力制御データＰａと第２の電力制御データＰｂと第３の電力制御データＰｃがメモリ上のデータテーブル３２として格納されている。マイコン３０のコントロール部３３は、Ａ／Ｄ変換ポート３１によりランプ電圧Ｖｌａの検出値をＡ／Ｄ変換したデジタル値に対応して、第１の電力制御データＰａまたは第２の電力制御データＰｂまたは第３の電力制御データＰｃを読み出して、読み出した値に応じてＰＷＭ信号のパルス幅を可変とする。
【００２０】
コントロール部３３が第１の電力制御データＰａを選択している場合には、マイコン３０のＡ／Ｄ変換ポート３１で取得されたランプ電圧のデジタル値０，１，２，…，１０２３に対応したデータａ０，ａ１，ａ２，…，ａ１０２３を基準電圧（指令値）としてＰＷＭ制御回路３４へ伝達する。
【００２１】
コントロール部３３が第２の電力制御データＰｂを選択している場合には、マイコン３０のＡ／Ｄ変換ポート３１で取得されたランプ電圧のデジタル値０，１，２，…，１０２３に対応したデータｂ０，ｂ１，ｂ２，…，ｂ１０２３を基準電圧（指令値）としてＰＷＭ制御回路３４へ伝達する。
【００２２】
コントロール部３３が第３の電力制御データＰｃを選択している場合には、マイコン３０のＡ／Ｄ変換ポート３１で取得されたランプ電圧のデジタル値０，１，２，…，１０２３に対応したデータｃ０，ｃ１，ｃ２，…，ｃ１０２３を基準電圧（指令値）としてＰＷＭ制御回路３４へ伝達する。
【００２３】
図２は各部の動作波形であり、（ａ）は放電灯Ｌａに流れるランプ電流ＩＬａの電流波形、（ｂ）はインバータ回路２のスイッチング素子Ｑ２，Ｑ５の動作状態、（ｃ）はインバータ回路２のスイッチング素子Ｑ３，Ｑ４の動作状態、（ｄ）は極性反転時に電流検出部４で検出された電流検出電圧と基準電圧、（ｅ）は極性反転時のランプ電流ＩＬａの拡大波形を示す。
【００２４】
図２のＴａ，Ｔｂ，Ｔｃ区間毎にスイッチング素子Ｑ２，Ｑ５とスイッチング素子Ｑ３，Ｑ４が交互にＯＮ／ＯＦＦ動作を繰り返す。このＴａ，Ｔｂ，Ｔｃ区間は制御回路３内にあるマイコン３０のデータテーブル３２内にある時間制御データｔａ，ｔｂ，ｔｃで決まる。
【００２５】
また、Ｔａ区間におけるランプ電流Ｉｌａ1 は第１の電力制御データＰａで決まり、Ｔｂ区間におけるランプ電流Ｉｌａ2 は第２の電力制御データＰｂで決まり、Ｔｃ区間におけるランプ電流Ｉｌａ3 は第３の電力制御データＰｃで決まる。
【００２６】
すなわち、放電灯電圧検出部５により検出された放電灯検出電圧を制御回路３内にあるマイコン３０のＡ／Ｄ変換ポート３１に入力し、その変換されたデータに対応したデータテーブル３２内にある電力制御データのうち、Ｔａ区間では電力制御データＰａを、Ｔｂ区間では電力制御データＰｂを、Ｔｃ区間では電力制御データＰｃを各基準電圧（指令値）としてＰＷＭ制御回路３４へ伝達し、降圧チョッパ回路１が必要に応じた電力を放電灯Ｌａへ供給する。その際、Ｔｃ区間においてＴａ区間より増加させたランプ電流分をＴｂ区間で補填・相殺させる。
【００２７】
具体的には図２でΔＩｌａ1-2 ≧ΔＩｌａ1-3 とすれば、Ｉｌａ1 を低くすることなく、必要な平均電力を維持することができ、従来の矩形波電流波形と同等以上の明るさ性能を維持させると共にフリッカの抑止にもつながる。また、ΔＩｌａ1-2 ＜ΔＩｌａ1-3 であっても、Ｉｌａ1 ＞Ｉｌａ2 且つＩｌａ3 ＞Ｉｌａ1 であれば、Ｉｌａ3 の増加分に対して同一の平均電力を維持するためにＩｌａ1 を低くする程度が小さくて済む。
【００２８】
（実施形態２）
上述の実施形態１ではＴｂ＝Ｔｃとしていたので、時間制御データはｔｂ＝ｔｃとなるが、図３は実施形態２の放電灯Ｌａに流れる電流波形であり、Ｔｂ＜Ｔｃであるので、時間制御データはｔｂ＜ｔｃとなる。ここでも、Ｔｃ区間においてＴａ区間より増加させたランプ電流分をＴｂ区間で補填・相殺させる。
【００２９】
具体的には図３及び図２（ｅ）でΔＩｌａ1-2 ×Ｔｂ≧ΔＩｌａ1-3 ×Ｔｃとすることにより、Ｉｌａ1 を低くすることなく、必要な平均電力を維持することができ、従来の矩形波電流波形と同等以上の明るさ性能を維持させると共にフリッカの抑止にもつながる。その他の構成及び動作については実施形態１と同様である。
【００３０】
（実施形態３）
図４（ａ）〜（ｄ）に実施形態３の放電灯Ｌａに流れる電流波形を示す。実施形態３では極性反転直前に高周波動作を２周期挿入した場合を示しており、Ｔａ，Ｔｂ，Ｔｃ，Ｔｄ，Ｔｅ区間での各時間制御データｔａ，ｔｂ，ｔｃ，ｔｄ，ｔｅ及び電力制御データＰａ，Ｐｂ，Ｐｃ，Ｐｄ，Ｐｅをマイコン内のメモリテーブルに用意する。その他の構成及び動作については実施形態１と同様である。
【００３１】
Ｔｃ，Ｔｅ区間においてＴａ区間より増加させたランプ電流分を図４（ａ）ではＴｂ，Ｔｄ区間で均等に補填・相殺させることで、また、図４（ｂ）ではＴｂ区間で補填・相殺、図４（ｃ）ではＴｂ，Ｔｄ区間全体で補填・相殺、図４（ｄ）ではＴｄ区間で補填・相殺させることで従来の矩形波電流波形と同等以上の明るさ性能の維持とフリッカ抑止をするという効果を得ることができる。
【００３２】
（実施形態４）
上述の実施形態３ではＴｂ＝Ｔｃ＝Ｔｄ＝Ｔｅであるので、時間制御データはｔｂ＝ｔｃ＝ｔｄ＝ｔｅとなるが、図５（ａ）〜（ｄ）は実施形態４の放電灯Ｌａに流れる電流波形であり、Ｔｂ，Ｔｄ＜Ｔｃ及びＴｂ，Ｔｄ＜Ｔｅであるので、時間制御データはｔｂ，ｔｄ＜ｔｃ及びｔｂ，ｔｄ＜ｔｅとなる。ここでもＴａ，Ｔｂ，Ｔｃ，Ｔｄ，Ｔｅ区間での各時間制御データｔａ，ｔｂ，ｔｃ，ｔｄ，ｔｅ及び電力制御データＰａ，Ｐｂ，Ｐｃ，Ｐｄ，Ｐｅをマイコン内のメモリテーブルに用意する。その他の構成及び動作については実施形態１と同様である。
【００３３】
Ｔｃ，Ｔｅ区間においてＴａ区間より増加させたランプ電流分を図５（ａ）ではＴｂ，Ｔｄ区間で均等に補填・相殺させることで、また、図５（ｂ）ではＴｂ区間で補填・相殺、図５（ｃ）ではＴｂ，Ｔｄ区間全体で補填・相殺、図５（ｄ）ではＴｄ区間で補填・相殺させることで従来の矩形波電流波形と同等以上の明るさ性能の維持とフリッカ抑止をするという効果を得ることができる。
【００３４】
（実施形態５）
図６（ａ）〜（ｄ）に実施形態５の放電灯Ｌａに流れる電流波形を示す。実施形態５では極性反転直前に高周波動作を２周期挿入し、高周波動作時のランプ電流波形のピーク値を高周波動作の最後の周期のみ極性反転直前と同極性側だけ高くした場合を示しており、Ｔａ，Ｔｂ，Ｔｃ，Ｔｄ，Ｔｅ区間での各時間制御データｔａ，ｔｂ，ｔｃ，ｔｄ，ｔｅ及び電力制御データＰａ，Ｐｂ，Ｐｃ，Ｐｄ，Ｐｅをマイコン内のメモリテーブルに用意する。その他の構成及び動作については実施形態１と同様である。
【００３５】
Ｔｅ区間においてＴａ区間より増加させたランプ電流分を図６（ａ）ではＴｂ，Ｔｄ区間で均等に補填・相殺させることで、また、図６（ｂ）ではＴｂ区間で補填・相殺、図６（ｃ）ではＴｂ，Ｔｄ区間全体で補填・相殺、図６（ｄ）ではＴｄ区間で補填・相殺させることで従来の矩形波電流波形と同等以上の明るさ性能の維持とフリッカ抑止をするという効果を得ることができる。
【００３６】
（実施形態６）
上述の実施形態５ではＴｂ＝Ｔｃ＝Ｔｄ＝Ｔｅであるので、時間制御データはｔｂ＝ｔｃ＝ｔｄ＝ｔｅとなるが、図７（ａ）〜（ｄ）は実施形態６の放電灯Ｌａに流れる電流波形であり、Ｔｂ＝Ｔｃ＝Ｔｄ＜Ｔｅであるので、時間制御データはｔｂ＝ｔｃ＝ｔｄ＜ｔｅとなる。Ｔａ，Ｔｂ，Ｔｃ，Ｔｄ，Ｔｅ区間での各時間制御データｔａ，ｔｂ，ｔｃ，ｔｄ，ｔｅ及び電力制御データＰａ，Ｐｂ，Ｐｃ，Ｐｄ，Ｐｅをマイコン内のメモリテーブルに用意する。その他の構成及び動作については実施形態１と同様である。
【００３７】
Ｔｅ区間においてＴａ区間より増加させたランプ電流分を図７（ａ）ではＴｂ，Ｔｄ区間で均等に補填・相殺させることで、また、図７（ｂ）ではＴｂ区間で補填・相殺、図７（ｃ）ではＴｂ，Ｔｄ区間全体で補填・相殺、図７（ｄ）ではＴｄ区間で補填・相殺させることで従来の矩形波電流波形と同等以上の明るさ性能の維持とフリッカ抑止をするという効果を得ることができる。
【００３８】
（実施形態７）
図８に実施形態７のプロジェクタの概略構成を示す。図中の高圧放電灯点灯装置２０は、上述の実施形態１〜６のいずれかの点灯装置である。セット側の制御回路４５から高圧放電灯点灯装置２０に点灯命令信号が入力されて高圧放電灯点灯装置２０が動作し、高圧放電灯Ｌａが点灯される。点灯された高圧放電灯Ｌａから出力された光は、レンズ１１により集光され、回転カラーフィルタ１２を透過した光がレンズ１３を介してＤＭＤと呼ばれる画像表示素子１４に照射され、その反射光が投射レンズ１５を介してスクリーン（図示せず）に投影される。ここでＤＭＤ（デジタル・マイクロミラー・デバイス）素子１４とは、ＣＭＯＳ半導体上に独立して動くミラーが数十万〜数百万個、敷き詰められた素子であり、個々のミラーを制御することにより濃淡画像を表示できる。回転カラーフィルタ１２が回転するにつれて、ＤＭＤ素子１４に照射される光がＲ（ｒｅｄ）、Ｇ（ｇｒｅｅｎ）、Ｂ（ｂｌｕｅ）と切り替わるため、これに同期してセット側の制御回路４５からＤＭＤ素子１４に三原色の画像信号を与えることにより、スクリーンにカラー映像を投影することができる。なお、プロジェクションテレビではプロジェクタとスクリーンが一体化されている。
【００３９】
セット側の制御回路４５は、点灯装置２０によるランプ電流の極性反転のタイミングをカラーフィルタ１２の色切り替えタイミングと同期させることがあり、また、カラーフィルタの色が切り替わるタイミングでは、三原色の画像信号がマスクされるから、光は投射されない。このため、図９（ｂ），（ｃ）の従来例ではｔ２の期間の光が有効に利用できないことがある。一方、本発明の実施形態１〜６によれば、高周波動作期間Ｔｂ，Ｔｃ（Ｔｄ，Ｔｅ）内でランプ電流の増加分を補填・相殺しているので、低周波動作期間Ｔａのランプ電流のピーク値は図９（ａ）の矩形波点灯時と同じ高さであっても同一の平均電力を維持することができ、したがって、スクリーンの明るさを維持しながら、フリッカを低減できる利点がある。
【図面の簡単な説明】
【００４０】
【図１】本発明の実施形態１の回路図である。
【図２】本発明の実施形態１の各部の動作波形を示す波形図である。
【図３】本発明の実施形態２の放電灯に流れる電流波形を示す波形図である。
【図４】本発明の実施形態３の放電灯に流れる電流波形を示す波形図である。
【図５】本発明の実施形態４の放電灯に流れる電流波形を示す波形図である。
【図６】本発明の実施形態５の放電灯に流れる電流波形を示す波形図である。
【図７】本発明の実施形態６の放電灯に流れる電流波形を示す波形図である。
【図８】本発明の実施形態７のプロジェクタの概略構成図である。
【図９】従来例の放電灯に流れる電流波形を示す波形図である。
【符号の説明】
【００４１】
１      チョッパ回路
２      インバータ回路
３      制御回路
Ｌａ    放電灯
ＩＬａ  ランプ電流
【図１】
2008123910.tif 000003
【図２】
2008123910.tif 000004
【図３】
2008123910.tif 000005
【図４】
2008123910.tif 000006
【図５】
2008123910.tif 000007
【図６】
2008123910.tif 000008
【図７】
2008123910.tif 000009
【図８】
2008123910.tif 000010
【図９】
2008123910.tif 000011